(57)【要約】  開口部５を含み、そこから飲料を飲用すること、または注ぐことが可能であり、閉鎖要素３を用いて開口部５を封止することができる飲料パッキング・ユニット１。本発明は、パッキング・ユニット１が平行六面体であり、且つ中空箱状体２および前記閉鎖要素３を含むこと、前記平行六面体の中空箱状体２が傾斜した角部を有し、この角部に前記箱状体２とつながる三側面または三角形の面９が形成されていること、前記開口部または口５を含む管状部分４が前記面９から外へ突出していること、および前記閉鎖要素３が概ねピラミッド型のボディを含み、このピラミッド型のボディは、前記箱状体２の前記傾斜した角部に隣接しているとき、前記ボディ３と共に前記平行六面体のパッキング・ユニット１を形成するように成形されていることを特徴とする。
2007520399.tif 000002
【特許請求の範囲】
【請求項１】
開口部（５）を含み、該開口部を通して飲料を飲用することまたは注ぐことができる飲料パッキング・ユニット（１）であって、前記開口部（５）が閉鎖要素（３）によって封止可能である飲料パッキング・ユニット（１）において、
前記ユニット（１）が平行六面体であり、また中空箱状体（２）および前記閉鎖要素（３）を含んでおり、
前記箱状体（２）と隣接するようになされた三側面（９）を形成するように、前記平行六面体の箱状体（２）の１つの角部に傾斜が付けられており、
前記ユニットが、前記面（９）から外へ突出する管状部分（４）であって、前記開口部（５）を含む管状部分（４）を含んでおり、
前記閉鎖要素（３）が概ねピラミッド型のボディを含み、該ピラミッド型のボディは、前記箱状体（２）の前記傾斜した角部に隣接しているとき、前記閉鎖要素（３）と共に前記平行六面体のパッキング・ユニット（１）を形成するように構成されており、
前記閉鎖要素（３）が、前記管状部分（４）を受け入れるための空洞（６）を含んでおり、また
前記ユニットは、一部が前記管状部分（４）上にあり、一部が前記空洞（６）内にあって互いに共働する留め具手段（１０）を含み、該留め具は、前記閉鎖要素（３）を前記管状部分（４）上に軸回転可能に保持するように機能し、それによって前記箱状体（２）および前記閉鎖要素（３）が、前記閉鎖要素（３）の所与の軸支位置において平行六面体を形成しており、
前記空洞（６）が、前記閉鎖要素（３）を通して該閉鎖要素（３）の外側面（１３）の１つの上にある開口部（７）まで外に延びており、また
前記開口部（５）および前記閉鎖要素（３）の口（７）が中心で互いに向かい合う位置に前記箱状体（２）を軸回転または回転させたとき、前記パッキング・ユニット（１）が開かれることを特徴とする飲料パッキング・ユニット（１）。
【請求項２】
前記留め具手段（１１）がスナップ・ロックを有することを特徴とする請求項１に記載の飲料パッキング・ユニット。
【請求項３】
前記閉鎖要素（３）が、前記開口部（５）と前記管状部分（４）の上面（１２）との隣接部、および／または前記三側面（９）との隣接部を封止するように設計されていることを特徴とする請求項１または請求項２に記載の飲料パッキング・ユニット。
【請求項４】
前記箱状体（２）の前記開口部（５）と前記閉鎖要素（３）の前記口（７）が、中心で互いに向かい合うように位置決めされていないとき、前記パッキング・ユニット（１）が閉じられて封止状態にあることを特徴とする請求項１から請求項３までのいずれか１項に記載の飲料パッキング・ユニット。
【請求項５】
前記パッキング・ユニット（１）が開放位置にあるとき、前記閉鎖要素（３）の前記口（７）が前記パッキング・ユニットの上面に位置決めされることを特徴とする請求項１から請求項４までのいずれか１項に記載の飲料パッキング・ユニット。
【発明の詳細な説明】
【技術分野】
【０００１】
本発明は、飲料パッキング・ユニットに関する。
【背景技術】
【０００２】
今日、人々は、例えば炭酸または発砲飲料、ジュース、ミルク、ミルク・ベースの飲料や、例えば個別のパッキング・ユニットに収容されたビール、エールおよびワインなど、多くの種々の飲料を飲用している。
【０００３】
今日の飲料に最も一般的なパッキング・ユニットは、それぞれがその特徴的な外観を有する様々なサイズのボトル、すなわちその上部で狭くなって開口部を形成し、そこから飲料を飲んだり注いだりすることができる円筒形のパッケージであり、それによってネジ山付きの栓またはネジ蓋を用いて開口部を再封止することができるようになっている。ボトルは通常、ＰＥＴなどのプラスチックまたはガラスで製造される。
【０００４】
他のタイプの一般的なパッキング・ユニットは、相互に積み重ねることができるような円筒形のアルミニウム缶であり、アルミニウムのつまみの一部を缶の上面から離し、それによって穴をあけ、そこから缶の中身を飲んだり注いだりすることが可能になる特徴的な缶の開放手順を含む。
【０００５】
他の一般的なタイプのパッキング・ユニットはテトラ・パックであり、それにはテトラ・パック・ユニットの最大の２つの側面の１つに、プラスチックで包まれたストローが接着される。このパッキング・ユニットの中身は通常、ストローをユニットから取り外し、次いでプラスチックの包装材料を取り外し、さらにテトラ・パックのパッキング・ユニットの上面に設けられた穴であって、アルミニウム箔で覆われた穴を通してストローを下方へ挿入することによって飲用される。テトラ・パック・ユニットの中身は、その後で、ストローを通して飲むことができる。
【０００６】
他の一般的なタイプの飲料パッキング・ユニットは、ガラス・ボトル首部の開口部全体にフィットさせた蓋、およびボトルの中身をそこから飲むことまたは注ぐことができる穴を含むガラス・ボトルである。
【０００７】
すべてのタイプのパッキング・ユニットは、何らかのプラス面とマイナス面を有している。一般的に言えば、いくつかのパッキング・ユニットは、互いに緊密に梱包することができないため輸送に有効ではなく、一方、他のものは再封止することができない。以下に欠点をより詳しく記述する。
【０００８】
いくつかのパッキング・ユニットに関する問題の１つは、それらがほとんどの場合、長距離にわたって大型貨物車両によって輸送されることである。円筒形の飲料パッキング・ユニットの形によって、車両の貨物容量の最適な使用が妨げられる。一般的なＰＥＴボトルは、通常、木枠の中に入れられ、次いでそれらが上下にぴったりと積み重ねられる。これは、ボトルのまわり、およびそれぞれのボトルの上下で大きな空間容積が未使用になることを意味している。したがってこの問題は、ネジ栓またはネジ蓋が取り付けられた先細の上部を有するすべての円筒形のパッキング・ユニットにも存在している。この問題の一部をなす他のパッキング・ユニットは、典型的なアルミニウム缶である。この缶もまた円筒形であり、それによって缶のまわりに未使用の貨物容量が生じる。
【０００９】
多くの飲料パッキング・ユニットに伴う他の問題は、再封止することができないことである。その中身を飲むために、所与の場合にそうしたパッキング・ユニットを開けたとき、当事者は、同時にユニットを空にするか、あるいはユニットを開けた後でその特定の時刻に彼／彼女が飲みたくない飲料を捨てることが必要である。
【００１０】
パッキング・ユニットから飲用する人は通常、少量をしばしば異なる時間に飲むこと、またその中身を後で飲むことができるようにユニットの再封止が可能であることを望むであろう。この問題の１つの解決策は、例えばＰＥＴボトルなどネジ止め式の栓を用いて封止されるボトルにあるが、これらのボトルは、先に言及したように貨物容量特性があまり有効でない。アルミニウム缶、蓋を備えたガラス・ボトル、またはテトラ・パックのパッキング・ユニットなどの他の典型的な飲料パッキング・ユニットは、再封止することができない。
【００１１】
ストローを含むテトラ・パックのパッキング・ユニットの場合に直面する別の欠点および問題の１つは、テトラ・パック・ユニットが変形可能なことであり、これはテトラ・パック・ユニットを慣れない指でつかみながらストローを用いてユニットを開けたとき、液体がしばしばテトラ・パック・ユニットから噴水のように噴き出し、ユニットの外側に落ちる程度まで、ユニットが押し合わされることを意味している。
【発明の開示】
【００１２】
周知の飲料パッキング技術に伴う上述の問題はすべて、積み重ね可能であり、且つ再封止が可能な飲料パッキング・ユニットを提供する本発明によって解決される。
【００１３】
したがって本発明によれば、開口部を含み、そこからユニットの液状の中身を飲用すること、または注ぐことができる飲料パッキング・ユニットであって、閉鎖要素を用いて前記開口部を閉じて封止することが可能な飲料パッキング・ユニットにおいて、パッキング・ユニットが平行六面体であり、且つ中空箱状体および前記閉鎖要素を含んでいること、前記平行六面体の中空箱状体が傾斜した角部を有し、この角部に、前記箱状体と結合する三側面（ｔｈｒｅｅ−ｓｉｄｅｄ  ｓｕｒｆａｃｅ）または三角形の面が形成されていること、前記開口部を含む管状部分が前記面から外へ突出していること、前記閉鎖要素は、前記箱状体の前記傾斜した角部に隣接しているとき、前記箱状体と共に前記平行六面体のパッキング・ユニットを形成するように成形された、概ねピラミッド型のボディを含むこと、前記閉鎖要素が前記管状部分を受け入れるための空洞を含むこと、前記閉鎖要素を前記管状部分で軸回転可能に保持するために、パッキング・ユニットが前記管状部分の上、および前記空洞の中で共働する留め具を含み、その結果、前記箱状体および前記閉鎖要素が閉鎖要素の所与の軸支位置で平行六面体を形成していること、前記空洞が、閉鎖要素を通して前記閉鎖要素の１つの外側面上の開口部まで外に延びていること、ならびに前記開口部および閉鎖要素の口が中心で互いに向かい合う位置まで閉鎖要素を軸回転または回転させたとき、パッキング・ユニットが開かれることを特徴とする飲料パッキング・ユニットが提供される。
【００１４】
次に本発明を、添付図面に示した例示的な実施例を一部参照しながら、より詳しく記述する。
【実施例】
【００１５】
図１は、そこから飲料を飲むこと、または注ぐことができる開口部５を含む飲料パッキング・ユニット１であって、その開口部５が閉鎖要素３によって再封止可能である飲料パッキング・ユニット１を示す。
【００１６】
本発明によれば、パッキング・ユニット１は平行六面体であり、中空箱状体２および閉鎖要素３を含む。平行六面体の中空体２の角部の１つには傾斜が付けられ、三側面または三角形の面９を形成している。この三側面９は箱状体２に接続している。外側に突出した管状部分４が前記開口部５および上面１２を含み、三側面９上に位置している。
【００１７】
閉鎖要素３は、概ねピラミッド型のボディを含み、それは、閉鎖要素３が箱状体２の傾斜した角部で三側面９と隣接しているとき、前記ピラミッド型のボディが箱状体２と共に前記平行六面体のパッキング・ユニット１を形成するように構成される。閉鎖要素３は、管状部分４を受け入れるようになされた空洞６を含む。管状部分４の上と空洞６の中の両方に、例えばスナップ・ファスナやネジ山など互いに共働する留め具１１が設けられる。これらの共働する留め具１１は、箱状体２および閉鎖要素３が、閉鎖要素３の所与の軸支位置にあるときに前記平行六面体のパッキング・ユニット１を形成するように、軸回転式の閉鎖要素３を管状部分４上に保持する。空洞６は、閉鎖要素３を通して、前記閉鎖要素の外側面１３の１つに設けた口７まで外に延びている。前記開口部５および閉鎖要素３の口７が中心で互いに向かい合う位置まで閉鎖要素３を軸回転または回転させたとき、ユニット１が開かれる。
【００１８】
パッキング・ユニット１のそれぞれの上面および底面、または前記ユニット１の側面が図１で定義される。図１では、箱状体２をその底面で立っているように示してある。底面の反対側の面を、ユニット１の上面と呼ぶ。箱状体２の傾斜した角部は、箱状体の上部の角部の１つに位置している。それによって閉鎖要素３は、前記箱状体の上面と接している前記箱状体２の角部の１つに配置される。閉鎖要素３の口７は、前記要素３の上面に配置されている。
【００１９】
本発明の一実施例では、留め具１１はスナップ・ファスナである。スナップ・ファスナは、管状部分４上の外側に位置する縁部８、および閉鎖要素３の空洞６内に配置された陥凹部１０からなることが好ましい。留め具１１は、閉鎖要素３を管状部分４のまわりで軸回転または回転させることができるようになされている。
【００２０】
図２は、パッキング・ユニット１の横断面図である。本発明の一実施例では、閉鎖要素３は、管状部分４の開口部５との隣接部、および管状部分４の上面１２との隣接部を封止（シール）するように設計される。本発明の他の実施例では、閉鎖要素３は、箱状体２の三側面９との隣接部を封止するように設計される。本発明の別の実施例では、閉鎖要素３は、管状部分４の開口部５および上面１２との隣接部、ならびに箱状体２の三側面９との隣接部を封止するように設計される。
【００２１】
パッキング・ユニット１は、箱状体２の開口部５と閉鎖要素３の口７が中心で互いに向かい合うように整合されていないとき、閉じて封止された状態にある（図３、４、５参照）。この非整合状態は、閉鎖要素３の口７を中心で管状部分４の開口部５の上に位置決めするのではなく、閉鎖要素３の口７を中心で管状部分４の上面１２の上に位置決めする位置まで、閉鎖要素３を軸回転または回転させることによって得られるが、これは前記パッキング・ユニットの留め具手段１１によって可能になる（上記参照）。
【００２２】
好ましくは、パッキング・ユニット１が開放状態にあるとき、閉鎖要素３の口７を前記パッキング・ユニットの上面に位置決めするようにする。それによって、人がユニットから飲用したくなって、飲料がユニットから流出することが可能になるようにユニット１を回転させるまで、パッキング・ユニット１に含まれる飲料が保持される。この構造によって、ユニット１はその全容量までを満たすことが可能になる。口７がユニット１の上面を形成していない閉鎖要素３の外側面１３上に配置されている場合、飲料はユニット１から流出することができ、その場合、ユニット１はその全容量まで満たすことはできない。
【００２３】
当該実施例に関係なく、箱状体２と前記箱状体２に隣接する閉鎖要素３との間にプラスチックのブリッジ１４が固定されることが好ましい。閉鎖要素３を箱状体２に対して回転させ、それによってパッキング・ユニット１を開けたとき、これらのブリッジ１４が分かれ、それによってパッキング・ユニットが開いたことを知らせる。
【００２４】
ここまでいくつかの実施例について記述してきたが、外側に突出した箱状体２の管状部分４、開口部５、閉鎖要素３の空洞６、および口７は、本発明の基本的な概念から逸脱することなく、他の複数の適切な方法で設計することが可能であることが理解されよう。
【００２５】
したがって添付する特許請求の範囲の範囲内で変更を加えることができるため、記述され図示されたその例示的な実施例に本発明が限定されるものと考えてはならない。
【図面の簡単な説明】
【００２６】
【図１】箱状体と隣接した閉鎖要素であって、開口部を含む閉鎖要素を有するパッキング・ユニットの図解である。
【図２】パッキング・ユニットの横断面図である。
【図３】外側に突出した管状部分およびその開口部を含む、箱状体の傾斜した角を示す図である。
【図４】閉鎖要素およびその口を示す図である。
【図５】閉鎖状態および開放状態にある飲料パッキング・ユニットをそれぞれ示す図である。
【図１】
2007520399.tif 000003
【図２】
2007520399.tif 000004
【図３】
2007520399.tif 000005
【図４】
2007520399.tif 000006
【図５】
2007520399.tif 000007
【国際調査報告】
2007520399.tif 000008
2007520399.tif 000009
2007520399.tif 000010